(57)【要約】【課題】監視対象の無線タグを任意に変更することができる紛失監視装置を提供する。【解決手段】紛失監視装置１０において、ＩＤ登録部３１は監視対象の微弱無線送信タグについてタグＩＤを記憶する。紛失監視手段２２はＩＤ登録部３１に記憶されたタグＩＤについてタグの紛失を監視し、紛失に応じて紛失警報を発する。探索手段２３は紛失したタグの発見を監視し、発見に応じて発見警報を発する。登録追加手段２４はＩＤ登録部３１に記憶されるタグＩＤを追加し、登録削除手段２６はＩＤ登録部３１に記憶されたタグＩＤを削除する。【選択図】図１
2013054659.tif 000002
【特許請求の範囲】
【請求項１】
固有のタグＩＤを送信する微弱無線送信タグの紛失を監視する、紛失監視装置であって、
微弱無線によって前記タグＩＤを受信する受信機と、
複数の前記タグＩＤを記憶可能なＩＤ登録部と、
前記ＩＤ登録部に記憶されるタグＩＤを追加する登録追加手段と、
前記ＩＤ登録部に記憶されたタグＩＤを削除する登録削除手段と、
前記ＩＤ登録部に記憶されたタグＩＤのそれぞれについて、そのタグＩＤを送信する微弱無線送信タグが紛失しているか否かを記憶する紛失状態記憶部と、
紛失していない微弱無線送信タグのそれぞれについて、その微弱無線送信タグの紛失を監視するとともに、前記紛失に応じて紛失警報を発する、紛失監視手段と、
を備える、紛失監視装置。
【請求項２】
前記紛失監視装置は、探索手段をさらに備え、
前記探索手段は、紛失している微弱無線送信タグのそれぞれについて、その微弱無線送信タグの発見を監視するとともに、前記発見に応じて発見警報を発する
請求項１に記載の紛失監視装置。
【請求項３】
前記紛失している微弱無線送信タグいずれかの前記タグＩＤを前記受信機が受信した場合に、前記探索手段は、そのタグＩＤを送信する微弱無線送信タグが発見されたと判定する、請求項２に記載の紛失監視装置。
【請求項４】
前記紛失監視装置は、前記タグＩＤのそれぞれについて、前記受信機が最後にタグＩＤを受信した最終受信時刻を記憶する、最終受信時刻記憶部をさらに備え、
前記紛失していない微弱無線送信タグのタグＩＤのいずれかについて、前記最終受信時刻からの経過時間が所定の値より大きくなった場合に、前記紛失監視手段は、そのタグＩＤを送信する微弱無線送信タグが紛失したと判定する
請求項１〜３のいずれか一項に記載の紛失監視装置。
【請求項５】
前記登録追加手段は、前記受信機が受信したタグＩＤを追加し、
前記登録削除手段は、所定の操作に応じて前記タグＩＤを削除する
請求項１〜４のいずれか一項に記載の紛失監視装置。
【請求項６】
前記紛失監視装置は、紛失監視モード、探索モード、登録追加モードおよび登録削除モードを含む複数の動作モードのいずれかで選択的に動作可能であり、
前記登録追加手段は前記登録追加モードにおいて機能し、
前記登録削除手段は前記登録削除モードにおいて機能し、
前記紛失監視手段は前記紛失監視モードにおいて機能し、
前記探索手段は前記探索モードにおいて機能する
請求項２〜５のいずれか一項に記載の紛失監視装置。
【請求項７】
前記紛失警報は、画面表示、音声出力、振動、無線送信の少なくとも１つによって実現される
請求項１〜６のいずれか一項に記載の紛失監視装置。
【請求項８】
前記紛失監視装置の動作ログを他のコンピュータに送信する動作ログ出力手段をさらに備える、請求項１〜７のいずれか一項に記載の紛失監視装置。
【発明の詳細な説明】
【技術分野】
【０００１】
この発明は紛失監視装置に関し、とくに微弱無線送信タグの紛失を監視するものに関する。
【背景技術】
【０００２】
物品の紛失を監視するシステムとして、無線送信機能を持つタグを監視対象の物品に取り付け、無線を用いて当該物品の紛失を監視するものが知られている。紛失監視装置は受信機を備え、常に無線の受信状態を監視し、無線が受信できなくなると物品が紛失したという警報を発する。
このような紛失監視システムは、たとえば特許文献１に記載される。
【先行技術文献】
【特許文献】
【０００３】
【特許文献１】特開２００８−７０９６４号公報
【発明の概要】
【発明が解決しようとする課題】
【０００４】
しかしながら、従来の紛失監視システムでは、監視対象の無線タグを任意に変更することができないという問題があった。
【０００５】
この発明はこのような問題点を解消するためになされたものであり、監視対象の無線タグを任意に変更することができる紛失監視装置を提供することを目的とする。
【課題を解決するための手段】
【０００６】
この発明に係る紛失監視装置は、固有のタグＩＤを送信する微弱無線送信タグの紛失を監視する、紛失監視装置であって、微弱無線によってタグＩＤを受信する受信機と、複数のタグＩＤを記憶可能なＩＤ登録部と、ＩＤ登録部に記憶されるタグＩＤを追加する登録追加手段と、ＩＤ登録部に記憶されたタグＩＤを削除する登録削除手段と、ＩＤ登録部に記憶されたタグＩＤのそれぞれについて、そのタグＩＤを送信する微弱無線送信タグが紛失しているか否かを記憶する紛失状態記憶部と、紛失していない微弱無線送信タグのそれぞれについて、その微弱無線送信タグの紛失を監視するとともに、紛失に応じて紛失警報を発する、紛失監視手段と、を備える。
紛失監視装置は、探索手段をさらに備え、探索手段は、紛失している微弱無線送信タグのそれぞれについて、その微弱無線送信タグの発見を監視するとともに、発見に応じて発見警報を発してもよい。
紛失している微弱無線送信タグいずれかのタグＩＤを受信機が受信した場合に、探索手段は、そのタグＩＤを送信する微弱無線送信タグが発見されたと判定してもよい。
紛失監視装置は、タグＩＤのそれぞれについて、受信機が最後にタグＩＤを受信した最終受信時刻を記憶する、最終受信時刻記憶部をさらに備え、紛失していない微弱無線送信タグのタグＩＤのいずれかについて、最終受信時刻からの経過時間が所定の値より大きくなった場合に、紛失監視手段は、そのタグＩＤを送信する微弱無線送信タグが紛失したと判定してもよい。
登録追加手段は、受信機が受信したタグＩＤを追加し、登録削除手段は、所定の操作に応じてタグＩＤを削除してもよい。
紛失監視装置は、紛失監視モード、探索モード、登録追加モードおよび登録削除モードを含む複数の動作モードのいずれかで選択的に動作可能であり、登録追加手段は登録追加モードにおいて機能し、登録削除手段は登録削除モードにおいて機能し、紛失監視手段は紛失監視モードにおいて機能し、探索手段は探索モードにおいて機能してもよい。
紛失警報は、画面表示、音声出力、振動、無線送信の少なくとも１つによって実現されてもよい。
紛失監視装置の動作ログを他のコンピュータに送信する動作ログ出力手段をさらに備えてもよい。
【発明の効果】
【０００７】
この発明に係る紛失監視装置によれば、ＩＤ登録部に記憶される送信機ＩＤが追加・削除可能となっているので、監視対象の無線タグを任意に変更することができる。
【図面の簡単な説明】
【０００８】
【図１】この発明に係る紛失監視装置を含む紛失監視システムの構成を示す図である。
【図２】紛失監視装置の正面図である。
【図３】紛失監視装置の上面図である。
【図４】紛失監視装置の左側面図である。
【図５】紛失監視装置の動作モードと、各動作モード間の遷移関係とを示す図である。
【図６】メインメニュー表示モードにおいて表示される画面の例である。
【図７】紛失監視モードにおいてに表示される画面の例である。
【図８】探索モードにおいて表示される画面の例である。
【図９】メンテナンスメニュー表示モードにおいて表示される画面の例である。
【図１０】登録追加モードにおいて表示される画面の例である。
【図１１】登録ＩＤ表示モードにおいて表示される画面の例である。
【図１２】登録ＩＤ全削除モードにおいて表示される画面の例である。
【発明を実施するための形態】
【０００９】
以下、この発明の実施の形態を添付図面に基づいて説明する。
実施の形態１．
図１は、この発明に係る紛失監視装置１０を含む紛失監視システムの構成を示す図である。また、図２〜図４は紛失監視装置１０の外観を示す図である。図２は正面図であり、図３は底面図すなわち図２のＩＩＩ方向から見た図であり、図４は左側面図すなわち図２のＩＶ方向から見た図である。
この紛失監視装置１０は携帯式の装置であり、携帯可能な寸法および重量をもって構成される。図２〜図４の外観の例では、図２に示す長さＤは１１５ｍｍであり、幅Ｗは７０ｍｍであり、図３に示す高さＨは１９．５ｍｍである。
【００１０】
この紛失監視システムは、図１に示すように、鍵Ｋ１およびＫ２を含む複数の鍵を監視対象の物品とし、これらの紛失を監視する。紛失監視システムは、紛失監視装置１０と、微弱無線送信タグＴ１およびＴ２とを含む。微弱無線送信タグＴ１およびＴ２はそれぞれ鍵Ｋ１およびＫ２に取り付けられており、紛失監視装置１０はこの微弱無線送信タグＴ１およびＴ２の紛失を監視することにより、結果として鍵Ｋ１およびＫ２の紛失を監視する。
なお、本実施形態では紛失監視装置１０はたとえば１０個の鍵の紛失を監視するものであるが、簡明のため図１では２個の鍵のみ示している。
【００１１】
微弱無線送信タグＴ１およびＴ２は、それぞれ送信機Ｔ１ａおよびＴ２ａを備える。送信機Ｔ１ａおよびＴ２ａは、微弱無線によって固有のタグＩＤを送信する。たとえば、送信機Ｔ１ａはタグＩＤとして「００１」を表す信号を送信し、送信機Ｔ２ａはタグＩＤとして「００２」を表す信号を送信する。
このような微弱無線送信タグの構成は周知であり、市販されている微弱無線送信タグを用いることができる。微弱無線送信タグは、たとえば０．５秒間隔で定期的にタグＩＤを送信する。なお、本明細書において「微弱無線」とは、電波法に規定される微弱無線をいう。
【００１２】
紛失監視装置１０は、演算手段２０、記憶手段３０および受信機４０を含む。受信機４０は微弱無線によって送信される信号を受信可能であり、本実施形態ではタグＩＤを受信する。また、受信機４０は受信したタグＩＤを演算手段２０に受け渡す。さらに、受信機４０は、タグＩＤが送信されている電波強度を検出可能であり、演算手段２０は、微弱無線送信タグが受信機４０から（すなわち紛失監視装置１０から）所定の距離範囲内にあるか否か（たとえば３ｍ以内にあるか否か）を電波強度に基づいて判定することができる。
【００１３】
なお、本明細書において、「タグＩＤを受信する」とは、次の２通りの状況のいずれかを表しているが、これらは適宜交換可能である。
‐電波強度によらず、タグＩＤを識別できる状態で受信した場合。
‐３ｍの距離に相当する電波強度以上の電波強度で、タグＩＤを受信した場合。
たとえば、本実施形態では、紛失監視には後者の基準を用い、探索には前者の基準を用いているが、変形例として、紛失監視に前者の基準を用いてもよく、また探索に後者の基準を用いてもよい。
【００１４】
演算手段２０は、プログラムに従って動作するマイクロプロセッサである。記憶手段３０はたとえば半導体メモリによって構成され、ＲＡＭ、フラッシュＲＯＭおよび外部ＥＰ−ＲＯＭを含む。
記憶手段３０には紛失監視装置１０の動作を制御する制御プログラム（図示せず）が記憶されており、演算手段２０がこの制御プログラムを実行することにより、紛失監視装置１０はその機能を実現する。本実施形態では、演算手段２０はモード制御手段２１、紛失監視手段２２、探索手段２３、登録追加手段２４、登録表示手段２５、登録削除手段２６および動作ログ出力手段２７として機能する（これらの動作については後述する）。
【００１５】
記憶手段３０は、ＩＤ登録部３１、紛失状態記憶部３２、最終受信時刻記憶部３３および動作ログ記憶部３４を含む。ＩＤ登録部３１は、監視対象として指定された複数の微弱無線送信タグのタグＩＤを記憶可能であり、たとえば００１，００２，…，０１０の１０個のタグＩＤを記憶する。ＩＤ登録部３１はフラッシュＲＯＭ内に配置され、紛失監視装置１０の電源がオフになっている状態でも情報を保持する。
紛失状態記憶部３２は、ＩＤ登録部３１に記憶されたタグＩＤのそれぞれについて、そのタグＩＤに関連付けられた微弱無線送信タグが紛失しているか否かを表す紛失状態を記憶する。紛失状態は、たとえばタグＩＤごとに１ビットのフラグによって表すことができる。
【００１６】
最終受信時刻記憶部３３は、ＩＤ登録部３１に記憶されたタグＩＤのそれぞれについて、受信機４０が最後にそのタグＩＤを受信した時刻（最終受信時刻）を記憶する。時刻はたとえば周知のクロック（図示せず）から得ることができる。クロックから得られる現在時刻から、最終受信時刻を減算することにより、最終受信時刻からの経過時間が算出可能である。
動作ログ記憶部３４は、紛失監視装置の動作ログを記憶する。
【００１７】
また、図１〜図４に示すように、紛失監視装置１０は、入出力インタフェースとして、ＵＳＢコネクタ５０、操作入力部６０、ＬＣＤパネル７０、ブザー８０、ＬＥＤランプ９０および９１、ならびに充電用ＤＣコネクタ９２を備える。
【００１８】
ＵＳＢコネクタ５０は、紛失監視装置１０が他のコンピュータと通信するための入出力コネクタである。演算手段２０は、このＵＳＢコネクタ５０を介して他のコンピュータと通信可能である。
操作入力部６０は、紛失監視装置１０の使用者が操作のための命令を入力するための入力インタフェースである。操作入力部６０はたとえば複数の操作キーによって構成される。本実施形態では、操作入力部６０は選択ボタン６１、決定ボタン６２およびキャンセルボタン６３を含む。
ＬＣＤパネル７０は、紛失監視装置１０が使用者に対して視覚的に情報を出力するために使用する表示画面（液晶パネル）である。
ブザー８０は、紛失監視装置１０が使用者に対して聴覚的に情報を出力するために使用する音声出力装置である。
選択ボタン６１は、バッテリ（たとえば充電式リチウムイオン電池、図示せず）から紛失監視装置１０全体への電源供給を制御する電源ボタンを兼ねる。これはたとえば選択ボタン６１を長押しすることによって実現される。すなわち、選択ボタン６１を押した状態を所定時間維持することにより、電源供給が開始されまたは遮断される。
充電用ＤＣコネクタ９２は、外部の充電用電源からバッテリに電力を供給するために用いられる。ＬＥＤランプ９１および９２は、充電状態を表示するために用いられる。ＬＥＤランプ９１および９２は、たとえば一方が緑色であり、他方が赤色である。
【００１９】
図５は、紛失監視装置１０の動作モードと、各動作モード間の遷移関係とを示す図である。紛失監視装置１０は、図５に示す各動作モードのいずれかで選択的に動作可能である。電源が投入された直後は、紛失監視装置１０は紛失監視モードＭ２で動作する。
各動作モードにおける紛失監視装置１０の動作を、図６〜図１２を用いて以下に説明する。
【００２０】
図６は、メインメニュー表示モードＭ１においてＬＣＤパネル７０に表示される画面の例である。メインメニュー表示モードＭ１では、モード制御手段２１が機能し、紛失監視モードＭ２、探索モードＭ３およびメンテナンスメニュー表示モードＭ４との間のモード切替を行う。メインメニュー表示モードＭ１において、使用者は操作入力部６０を操作して命令を入力し、紛失監視モードＭ２、探索モードＭ３またはメンテナンスメニュー表示モードＭ４に遷移させることができる。
【００２１】
図６の画面では、紛失監視装置１０がメインメニュー表示モードＭ１にあることを示す「メインメニュー」という表示と、遷移先モード候補として紛失監視モードＭ２が指定されていることを表す「フンシツカンシ」という表示がなされている。モード制御手段２１は、選択ボタン６１が操作されると遷移先モード候補を変更し、決定ボタン６２が操作されると紛失監視装置１０をその時点で指定されていた遷移先モード候補に遷移させる。
【００２２】
たとえば、使用者は図６の画面から選択ボタン６１を何度か操作することにより、遷移先モード候補をメンテナンスメニュー表示モードＭ４に変更し、その後に決定ボタン６２を操作して紛失監視装置１０をメインメニュー表示モードＭ１からメンテナンスメニュー表示モードＭ４に遷移させることができる。
なお、モード制御手段２１は、紛失監視装置１０のモードを切り替えるたびに、動作ログ記憶部３４に切り替え時刻および切り替え先のモードを記録する。
【００２３】
図７は、紛失監視モードＭ２においてＬＣＤパネル７０に表示される画面の例である。紛失監視モードＭ２では紛失監視手段２２が機能し、紛失していない微弱無線送信タグの紛失を監視する。なお、他のモードから紛失監視モードＭ２に遷移する際、紛失監視手段２２は紛失状態記憶部３２に記憶されている紛失状態をすべてのタグＩＤについてクリアする（すなわち、いずれの鍵も紛失していない状態とする）。
【００２４】
図７（ａ）は紛失監視モードＭ２における通常時すなわち鍵が紛失していない状態の画面であり、紛失鍵がないことを表す表示がなされている。図７（ｂ）および図７（ｃ）は鍵が紛失している状態の画面であり、いずれかの鍵が紛失していることを表す表示がなされている。とくに、図７（ｂ）では紛失している鍵の数（この例では２個）が表示され、図７（ｃ）では紛失している鍵の１つ（この例では１番目に登録された鍵）に関連付けられたタグＩＤが表示されている。
【００２５】
紛失監視モードＭ２において、紛失監視手段２２は、受信機４０を介し、微弱無線によって微弱無線送信タグのタグＩＤを受信する。３ｍの距離に相当する電波強度以上の電波強度でタグＩＤを受信すると、紛失監視手段２２は、受信したタグＩＤがＩＤ登録部３１に記憶されているタグＩＤの１つと一致するか否かを判定し、一致する場合には最終受信時刻記憶部３３を更新する。すなわち、そのタグＩＤと受信時刻とを関連付けて最終受信時刻記憶部３３に記憶する。このようにして、最終受信時刻記憶部３３に記憶されている受信時刻は、常にそのタグＩＤについての最終受信時刻となる。
【００２６】
また、紛失監視モードＭ２において、紛失監視手段２２は、紛失していない微弱無線送信タグのそれぞれについて、随時、最終受信時刻からの経過時間を算出する。そして、経過時間が所定の値（たとえば１５秒）よりも大きい場合、その微弱無線送信タグが紛失したと判定して紛失警報を発する。紛失警報として、図７（ｂ）および図７（ｃ）に示す「カギヲフンシツシテイマス」という警報文による画面表示と、ブザー８０からの警報音声出力とがなされる。また、紛失監視手段２２は、紛失したと判定した微弱無線送信タグについて、その微弱無線送信タグが紛失していることを紛失状態記憶部３２に記憶する。さらに、紛失監視手段２２は、微弱無線送信タグが紛失したと判定するたびに、微弱無線送信タグが紛失したことを表す情報と、紛失した微弱無線送信タグのタグＩＤと、紛失した時刻とを動作ログ記憶部３４に記録する。
【００２７】
たとえば、鍵を紛失していない状態において、使用者が鍵Ｋ１を置き忘れ、３ｍ以上離れると、受信機４０はタグＩＤ「００１」を受信できなくなる。そのまま１５秒以上が経過すると、紛失監視手段２２は微弱無線送信タグＴ１が紛失したと判定し、紛失警報を発することになる。
【００２８】
また、紛失監視手段２２は、紛失監視モードＭ２において、いずれかの鍵が紛失している場合、選択ボタン６１が操作されると画面表示を切り替える。図７（ｂ）の状態で選択ボタン６１が操作されると、図７（ｃ）のように紛失している微弱無線送信タグのタグＩＤを表示する（複数紛失している場合には選択ボタン６１の操作に応じて順次表示する）。また、図７（ｃ）の状態（複数紛失している場合には最後のタグＩＤが表示されている状態）で選択ボタン６１が操作されると、図７（ｂ）の表示に戻す。
【００２９】
また、紛失監視手段２２は、紛失監視モードＭ２においてキャンセルボタン６３が操作されると、紛失監視装置１０をメインメニュー表示モードＭ１に遷移させる。この際、紛失警報が発報されている状態であれば、紛失警報を停止する。すなわち、ブザー８０からの警報音声出力を停止する。
【００３０】
また、紛失監視手段２２は、紛失警報が発報されている状態において、すべての微弱無線送信タグが発見された場合にも紛失警報を停止する。たとえば、紛失状態となった微弱無線送信タグのタグＩＤを再び受信した場合にはその微弱無線送信タグが紛失していないことを紛失状態記憶部３２に記憶し、すべての微弱無線送信タグが紛失していない状態になると、紛失警報を停止する。この場合には、ブザー８０からの警報音声出力を停止するとともに、ＬＣＤパネル７０から警報文の表示を消去して画面表示を図７（ａ）のものに切り替える。
【００３１】
図８は、探索モードＭ３においてＬＣＤパネル７０に表示される画面の例である。探索モードＭ３では探索手段２３が機能し、紛失している微弱無線送信タグの探索を行い、発見を監視する。
図８（ａ）は探索モードＭ３における通常時すなわち紛失している鍵が発見されていない状態の画面であり、発見された鍵がないことを表す表示がなされている。（この例では「フンシツカギタンサクチュウ」という表示をもっていずれの鍵も未発見であることを表している）
【００３２】
図８（ｂ）および図８（ｃ）は鍵を発見した状態の画面であり、紛失した鍵のいずれかを発見したことを表す表示がなされている。とくに、図８（ｂ）では発見した鍵の数が表示され、図８（ｃ）では発見した鍵の１つ（この例では２番目に登録された鍵）に関連付けられたタグＩＤが表示されている。
【００３３】
探索モードＭ３において、探索手段２３は、受信機４０を介し、微弱無線によって微弱無線送信タグのタグＩＤを受信する。タグＩＤを受信すると、探索手段２３は、受信したタグＩＤが紛失状態記憶部３２に紛失したと記憶されているタグＩＤのいずれかと一致するか否かを判定し、一致する場合には、その微弱無線送信タグが発見されたと判定して発見警報を発する。発見警報として、図８（ｂ）および図８（ｃ）に示す「フンシツカギヲケンチシマシタ」という警報文による画面表示と、ブザー８０からの警報音声出力とがなされる。なお、発見警報に係る警報音声出力は、紛失警報に係る警報音声出力と同じものでもよく、異なるものであってもよい。発見警報に係る警報音声出力は、たとえば１秒間継続した後に停止する。
【００３４】
また、探索手段２３は、発見したと判定した微弱無線送信タグについて、その微弱無線送信タグが紛失していないことを紛失状態記憶部３２に記憶する。さらに、探索手段２３は、微弱無線送信タグを発見したと判定するたびに、微弱無線送信タグを発見したことを表す情報と、発見した微弱無線送信タグのタグＩＤと、発見した時刻とを動作ログ記憶部３４に記録する。
【００３５】
たとえば、タグＩＤ「００１」の鍵Ｋ１を紛失している状態において、使用者が置き忘れた鍵Ｋ１を取りに戻り、受信可能範囲内に近づくと、受信機４０はタグＩＤ「００１」を受信する。これに応じて探索手段２３は微弱無線送信タグＴ１を発見したと判定し、発見警報を発することになる。
【００３６】
また、探索手段２３は、探索モードＭ３において、いずれかの鍵を発見している場合、選択ボタン６１が操作されると画面表示を切り替える。図８（ｂ）の状態で選択ボタン６１が操作されると、図８（ｃ）のように発見した微弱無線送信タグのタグＩＤを表示する（複数発見している場合には選択ボタン６１の操作に応じて順次表示する）。また、図８（ｃ）の状態（複数発見している場合には最後のタグＩＤが表示されている状態）で選択ボタン６１が操作されると、図８（ｂ）の表示に戻す。
【００３７】
また、探索手段２３は、探索モードＭ３においてキャンセルボタン６３が操作されると、紛失監視装置１０をメインメニュー表示モードＭ１に遷移させる。この際、発見警報が発報されている状態であれば、発見警報を停止する。すなわち、ブザー８０からの警報音声出力を停止する。
【００３８】
図９は、メンテナンスメニュー表示モードＭ４においてＬＣＤパネル７０に表示される画面の例である。メンテナンスメニュー表示モードＭ４では、モード制御手段２１が機能し、メインメニュー表示モードＭ１、登録追加モードＭ５、登録ＩＤ表示モードＭ６および登録ＩＤ全削除モードＭ７との間のモード切替を行う。メンテナンスメニュー表示モードＭ４において、使用者は操作入力部６０を操作して命令を入力し、メインメニュー表示モードＭ１、登録追加モードＭ５、登録ＩＤ表示モードＭ６または登録ＩＤ全削除モードＭ７に遷移させることができる。
【００３９】
図９の画面では、紛失監視装置１０がメンテナンスメニュー表示モードＭ４にあることを示す「メンテナンスメニュー」という表示と、遷移先モード候補として登録追加モードＭ５が指定されていることを表す「カンシカギトウロク」表示がなされている。モード制御手段２１は、選択ボタン６１が操作されると遷移先モード候補を変更し、決定ボタン６２が操作されると紛失監視装置１０をその時点で指定されていた遷移先モード候補に遷移させる。
【００４０】
たとえば、使用者は図９の画面から選択ボタン６１を何度か操作することにより、遷移先モード候補を登録ＩＤ全削除モードＭ７に変更し、その後に決定ボタン６２を操作して紛失監視装置１０を登録ＩＤ全削除モードＭ７に遷移させることができる。
また、モード制御手段２１は、メンテナンスメニュー表示モードＭ４においてキャンセルボタン６３が操作されると、紛失監視装置１０をメインメニュー表示モードＭ１に遷移させる。
【００４１】
図１０は、登録追加モードＭ５においてＬＣＤパネル７０に表示される画面の例である。登録追加モードＭ５では登録追加手段２４が機能し、ＩＤ登録部３１に記憶されるタグＩＤの追加を行う。
図１０（ａ）は、登録追加モードＭ５における初期表示画面であり、ＩＤ登録部３１に記憶すべきタグＩＤの追加を受け付けている状態の画面である。この状態において、受信機４０がなんらかのタグＩＤを受信した場合、そのタグＩＤについて次の２つの登録条件の双方が満たされると、登録変更手段２４はそのタグＩＤを登録候補として受け付ける。
‐登録条件１：そのタグＩＤが未登録である（すなわち、ＩＤ登録部３１に記憶されておらず、かつ登録候補にも含まれていない）。
‐登録条件２：そのタグＩＤが送信される電波強度が、３ｍの距離に相当する強度以上である。
登録追加手段２４は、登録候補に含まれているタグＩＤの数を「トウロクカギスウ」として表示する。すなわち、この画面には、３ｍ以内に置かれている未登録の微弱無線送信タグの総数が表示されることになる。図１０（ａ）の例では、登録候補として１０個のタグＩＤを受け付けられている。
【００４２】
図１０（ａ）の状態において、決定ボタン６２が操作されると、登録追加手段２４は画面表示を図１０（ｂ）に示すものに切り替える。また、キャンセルボタン６３が操作されると、登録追加手段２４は紛失監視装置１０をメンテナンスメニュー表示モードＭ４に遷移させる。
【００４３】
図１０（ｂ）は、登録候補として受け付けたタグＩＤをＩＤ登録部３１に記憶するか否かの確認を求めている状態の画面である。登録候補の総数が表示されている。この状態において、決定ボタン６２が操作されると、登録追加手段２４は、登録候補のタグＩＤをすべてＩＤ登録部３１に追加記憶する。また、登録追加手段２４は、新たなタグＩＤが追加記憶されたことを表す情報と、追加されたタグＩＤと、追加した時刻とを動作ログ記憶部３４に記録する。その後、登録追加手段２４は紛失監視装置１０をメンテナンスメニュー表示モードＭ４に遷移させる。
【００４４】
なお、図１０（ｂ）の状態において、キャンセルボタン６３が操作されると、登録追加手段２４は、画面表示を図１０（ａ）に示すものに切り替え、記憶すべきタグＩＤの追加を受け付ける状態に戻る。
【００４５】
図１１は、登録ＩＤ表示モードＭ６においてＬＣＤパネル７０に表示される画面の例である。登録ＩＤ表示モードＭ６では登録表示手段２５が機能し、ＩＤ登録部３１に記憶されるタグＩＤの表示を行う。
【００４６】
図１１（ａ）は、ＩＤ登録部３１に少なくとも１つのタグＩＤが記憶されている場合に表示される画面である。タグＩＤが複数記憶されている場合には、選択ボタン６１の操作に応じてタグＩＤが順次表示される。
図１１（ｂ）は、ＩＤ登録部３１にいかなるタグＩＤも記憶されていない場合に表示される画面である。
登録ＩＤ表示モードＭ６において、キャンセルボタン６３が操作されると、登録表示手段２５は紛失監視装置１０をメンテナンスメニュー表示モードＭ４に遷移させる。
【００４７】
図１２は、登録ＩＤ全削除モードＭ７においてＬＣＤパネル７０に表示される画面の例である。登録ＩＤ全削除モードＭ７では登録削除手段２６が機能し、ＩＤ登録部３１に記憶されているタグＩＤの削除を行う。
登録ＩＤ全削除モードＭ７（すなわち図１２の画面が表示されている状態）において、決定ボタン６２が操作されると、登録削除手段２６はＩＤ登録部３１に記憶されたタグＩＤをすべて削除する。また、登録削除手段２６は、タグＩＤがすべて削除されたことを表す情報と、削除された時刻とを動作ログ記憶部３４に記録する。その後、登録削除手段２６は紛失監視装置１０をメンテナンスメニュー表示モードＭ４に遷移させる。
【００４８】
また、登録ＩＤ全削除モードＭ７においてキャンセルボタン６３が操作されると、登録削除手段２６はタグＩＤを削除することなく、紛失監視装置１０をメンテナンスメニュー表示モードＭ４に遷移させる。
【００４９】
また、紛失監視装置１０はＵＳＢコネクタ５０を介して他のコンピュータ（図示せず）と通信可能である。たとえば、動作ログ出力手段２７は、動作ログ記憶部３４に記憶されている動作ログをＵＳＢコネクタ５０を介して出力し、他のコンピュータに送信することができる。この際の操作は、操作入力部６０を用いて行うものとして当業者が適宜設計すればよい。なお、動作ログの出力は、たとえばメンテナンスメニュー表示モードＭ４において行うことができるが、動作ログ出力用のモードが設けられてもよく、また動作ログ出力用のモードはメンテナンスメニュー表示モードＭ４から遷移可能であってもよい。
【００５０】
以上のように動作する紛失監視装置１０を用いて、次のようにして監視対象の物品（たとえば鍵）の紛失を監視することができる。
使用者は、あらかじめ鍵および微弱無線送信タグを用意し、図１の例のようにこれらを結びつけておく。鍵は１つでも良いし、複数でもよい。複数の場合には鍵と微弱無線送信タグとを一対一に対応付けて結びつける。また、紛失監視装置１０を登録ＩＤ全削除モードＭ７（図１２）に切り替え、登録内容をすべて削除する。
【００５１】
次に、使用者は紛失監視装置１０を登録追加モードＭ５（図１０）に切り替え、鍵を紛失監視装置１０の周囲３ｍ以内に置いてタグＩＤを登録する。その後、使用者は紛失監視装置１０を紛失監視モードＭ２（図７）に切り替える。ここで鍵の紛失の監視が開始される。
この状態で使用者は紛失監視装置１０および鍵を持ち歩く。鍵の紛失がない場合には警報の発報もなく、鍵は使用後に元の場所に返却される。いずれかの鍵から３ｍ以上離れた場合には紛失警報が発報され、使用者は鍵の紛失に気づくことができる。
【００５２】
紛失監視装置１０を紛失監視モードＭ２にしないまま鍵を紛失した等の事情により、鍵の所在が不明となった場合には、使用者は紛失監視装置１０を探索モードＭ３（図８）に切り替え、鍵を紛失した心当たりのある場所の探索を開始する。紛失した鍵のタグＩＤを受信可能な範囲内に入ると、紛失監視装置１０は発見警報を発報し、使用者は鍵が近くにあることを知ることができるので、探索が容易になる。
【００５３】
さらに、日によって持ち歩く鍵が異なる等の理由から、監視する鍵を変更したい場合には、紛失監視装置１０を登録ＩＤ全削除モードＭ７（図１２）に切り替えて登録内容をすべて削除した後、改めて登録追加モードＭ５（図１０）に切り替えて必要な鍵を登録しなおせばよい。
【００５４】
このように、本発明に係る紛失監視装置１０は、単に微弱無線送信タグの紛失を監視するのみならず、ＩＤ登録部３１の内容を変更する登録追加手段２４および登録削除手段２６を備えるので、監視対象の微弱無線送信タグを任意に変更することができ、また、微弱無線送信タグの発見を監視する探索手段２３を備えるので、微弱無線送信タグが紛失した場合にこれを探索することができる。
【００５５】
なお、実施の形態１では、紛失警報および発見警報は画面表示および音声出力によってなされるが、さらに振動および無線送信によってなされてもよい。たとえば、紛失監視装置は周知の振動発生装置によって紛失監視装置全体を振動させ、これを持ち運ぶ使用者に対して警報を発してもよく、また、紛失監視装置は周知の送信機によって所定の受信装置に警報を発し、受信装置がこれを受信して使用者に報知してもよい。
また、紛失警報および発見警報は、画面表示、音声出力、振動、無線送信の少なくとも１つによってなされればよい。
【００５６】
また、実施の形態１では監視対象の物品を鍵としたが、これは微弱無線送信タグを取り付けることができる物品であれば鍵でなくともよい。
【００５７】
また、実施の形態１では、登録追加手段２４は受信機４０が受信したタグＩＤのみをＩＤ登録部３１に追加するが、追加すべきタグＩＤは他の方法によって指定されてもよい。たとえば、他のコンピュータからＵＳＢコネクタ５０を介してタグＩＤ（１つまたは複数）を受信し、これをＩＤ登録部３１に追加してもよい。
このようにすると、持ち出す予定の物品に対応するタグＩＤのリストを他のコンピュータで作成し、これを紛失監視装置１０に転送して登録し、その直後に紛失監視モードＭ２にすることにより、持ち出す予定の物品がすべて揃っているかどうかその場で確認することができ、作業ミスを防止することができる。
【００５８】
また、実施の形態１では、登録ＩＤ全削除モードＭ７において、登録削除手段２６は、紛失状態記憶部３２に記憶されたタグＩＤをすべて一括して削除するが、変形例として、個別に削除を行えるものであってもよい。たとえば、選択ボタン６１の操作に応じて削除すべきタグＩＤの候補を選択し、選択されているタグＩＤを決定ボタン６２の操作に応じてＩＤ登録部３１から削除してもよい。
【符号の説明】
【００５９】
１０  紛失監視装置、２０  演算手段（２１  モード制御手段、２２  紛失監視手段、２３  探索手段、２４  登録追加手段、２５  登録表示手段、２６  登録削除手段、２７  動作ログ出力手段）、３０  記憶手段（３１  ＩＤ登録部、３２  紛失状態記憶部、３３  最終受信時刻記憶部、３４  動作ログ記憶部）、４０  受信機、５０  ＵＳＢコネクタ、６０  操作入力部（６１  選択ボタン、６２  決定ボタン、６３  キャンセルボタン）、７０  ＬＣＤパネル、８０  ブザー、９０および９１  ＬＥＤランプ、９２  充電用ＤＣコネクタ、Ｋ１，Ｋ２  鍵、Ｔ１，Ｔ２  微弱無線送信タグ、Ｔ１ａ，Ｔ２ａ  送信機。
【図１】
2013054659.tif 000003
【図２】
2013054659.tif 000004
【図３】
2013054659.tif 000005
【図４】
2013054659.tif 000006
【図５】
2013054659.tif 000007
【図６】
2013054659.tif 000008
【図７】
2013054659.tif 000009
【図８】
2013054659.tif 000010
【図９】
2013054659.tif 000011
【図１０】
2013054659.tif 000012
【図１１】
2013054659.tif 000013
【図１２】
2013054659.tif 000014